(57)【特許請求の範囲】
【請求項１】
粘着テープの円筒部を回転可能に保持し、かつ該円筒部から引き出された前記粘着テープの粘着面側をホルダー本体部の片端に設けた切断刃に押し当てて該テープを切断する粘着テープホルダーにおいて、
横長の大略長方形の形状を成し、かつ、テープ引出し方向前方の上端部に角形の肩部が形成され、本体部側板に前記テープ引出し方向前方の下端部で回転可能に軸支されたクランクプレートと、
前記クランクプレートのテープ引出し方向後方の端部上方に離隔して、かつ、該端部に支持部材を介して連結され、引き出された粘着テープの非粘着面にテープ上側から接触するガイド棒と、
前記クランクプレートの上縁に設けられ、かつ、切断後のテープ端部を支持するテープ受け部材と、
前記切断刃に隣接して上下動可能に保持された縦スライド板と、
前記縦スライド板の下端に接して水平動可能に保持され、かつ、ばね手段で常時前記クランクプレートの前記肩部に接するように一方向に付勢されつつ前記クランクプレートの肩部で押動される横スライド板と、
を有し、
前記縦スライド板は前記横スライド板の上面に載置されて該縦スライド板の上端が前記切断刃より上方へ突出しており、
前記横スライド板の上面には前記縦スライド板の下端部が自重で落ち込む凹部が形成され、
引き出された粘着テープの伸長力で前記ガイド棒を介して前記クランクプレートがテープ引出し方向前方へ回動して該プレートの肩部で前記横スライド板を前記ばね手段に抗して移動させ、前記縦スライド板が前記凹部に自重で落ち込んで前記切断刃の先端より下方へ降下し、
前記粘着テープの切断による該テープの伸長力解除で前記ばね手段によって前記クランクプレートが元の位置に復帰し、前記縦スライド板が前記横スライド板の上面にスベリ係合で載り上がることを特徴とするカッターガード板付き粘着テープホルダー。
【発明の詳細な説明】
【技術分野】
【０００１】
本発明は、一端部に切断刃を備え、かつ前記切断刃をガード板で遮蔽するようにしたカッターガード板付き粘着テープホルダーに関する。
【背景技術】
【０００２】
片面に粘着性を有する粘着テープは通常、芯材に円筒状に巻き付けられた形態を有し、このテープ円筒部からテープの一端を引き出して所望の長さに切断して使用する。テープ端部の引き出しおよび切断を容易にするため、この種の粘着テープは切断刃付きのテープホルダーに保持されて使用される。テープホルダーとしては、種々の形態のものが市販されているが、大別すると、引き出したテープの粘着面に対峙する形態に切断刃が設けられ、切断後のテープ円筒部側（元側）のテープ端部が前記切断刃に付着、仮保持される形態のものと、非粘着面側に面して切断刃が設けられる形態のもの（特許文献１）とがある。
【０００３】
また、切断した粘着テープを目的の包装物に貼り付けた場合、粘着テープは一端から他端まで前記包装物に完全に密着して付着されるため、後でこの粘着テープを前記包装物から剥がそうとすると、剥がし口（剥がし開始の部分）がなく、指先の爪等でテープの隅部を引っかくようにして剥がし口をつくらなければならず、この操作が非常に煩雑である。
【０００４】
このような不便を解消するために、前記粘着テープを引き出して切断したとき、前記テープの一端部に折り返し片（テープの重着したタブ）が形成されるようにしたものが開示されている（特許文献２，３）。これは、切断後の元側（残った側）のテープ先端部に前記タブが切刃から突出して形成されるものであり、次回の使用時にはこのタブをつまんで引き出し、所望の長さに切断して使用することにより、前記タブの部分は包装物に付着していないので、剥がす際にはこのタブ部分を剥がし口として容易にテープを剥がすことができる。
【０００５】
さらに、特許文献４に示すように、粘着テープの切断時に該粘着テープによって切断刃がテープ引き出し方向へ回動するようにし、前記切断刃に対してテープ円筒部側へ寄った位置に回動可能な間隔保持アームを設け、テープ切断後、テープ端部を付着した前記切断刃が戻り回転して前記間隔保持アームに衝接し、これによって粘着テープの重着したタブが形成されるようにしたものも開示されている。
【先行技術文献】
【特許文献】
【０００６】
【特許文献１】特開２００８−２８０１２５号公開公報
【特許文献２】特開２０００−３３４６９１号公開公報
【特許文献３】特開２００１−１９９６１９号公開公報
【特許文献４】特許第４２４７３０３号特許公報
【発明の概要】
【発明が解決しようとする課題】
【０００７】
一般にこの種の粘着テープホルダーは、ホルダー本体部の端部に設けた切断刃が前記本体部から常時露出しており、テープホルダーの扱い時に露出した切断刃の先端で手を傷付けてしまうことがあった。特に、巾広の包装用粘着テープ（カートンテープ）の卓上形ホルダーの切断刃は鋭利な刃先となっており、テープ切断後に元側のテープ端部が切断刃に付着、仮保持される形態のものでは、次回使用時にテープ端部を切断刃から引き離す時に誤って指先を切断刃で刺してしまうという危険があり、多数の包装物のテープ貼り作業を連続して行う場合に、作業の迅速化をさまたげる原因ともなっていた。
【０００８】
本発明は、機構部分がホルダー本体部内にコンパクトに収まり、簡素化された構造であって、テープ切断時以外にはホルダー端部の切断刃がガード板から下方に隠れ、引き出したテープの切断時にのみ前記切断刃が自動的に上方へ露出した状態となり、これによって使用者の安全性、切断刃自体の保護およびテープ貼り作業の迅速化を高めたカッターガード板付き粘着テープホルダーを提供することを目的とするものである。
【課題を解決するための手段】
【０００９】
上記の目的のために本発明によるカッターガード板付き粘着テープホルダーは、粘着テープの円筒部を回転可能に保持し、かつ該円筒部から引き出された前記粘着テープの粘着面側をホルダー本体部の片端に設けた切断刃に押し当てて該テープを切断する粘着テープホルダーにおいて、横長の大略長方形の形状を成し、かつ、テープ引出し方向前方の上端部に角形の肩部が形成され、本体部側板に前記テープ引出し方向前方の下端部で回転可能に軸支されたクランクプレートと、前記クランクプレートのテープ引出し方向後方の端部上方に離隔して、かつ、該端部に支持部材を介して連結され、引き出された粘着テープの非粘着面にテープ上側から接触するガイド棒と、前記クランクプレートの上縁に設けられ、かつ、切断後のテープ端部を支持するテープ受け部材と、前記切断刃に隣接して上下動可能に保持された縦スライド板と、前記縦スライド板の下端に接して水平動可能に保持され、かつ、ばね手段で常時前記クランクプレートの前記肩部に接するように一方向に付勢されつつ前記クランクプレートの肩部で押動される横スライド板と、を有し、前記縦スライド板は前記横スライド板の上面に載置されて該縦スライド板の上端が前記切断刃より上方へ突出しており、前記横スライド板の上面には前記縦スライド板の下端部が自重で落ち込む凹部が形成され、引き出された粘着テープの伸長力で前記ガイド棒を介して前記クランクプレートがテープ引出し方向前方へ回動して該プレートの肩部で前記横スライド板を前記ばね手段に抗して移動させ、前記縦スライド板が前記凹部に自重で落ち込んで前記切断刃の先端より下方へ降下し、前記粘着テープの切断による該テープの伸長力解除で前記ばね手段によって前記クランクプレートが元の位置に復帰し、前記縦スライド板が前記横スライド板の上面にスベリ係合で載り上がるようにしたものである。
【００１０】
本発明の１つの形態によれば、前記縦スライド板の下端が斜面形状に形成され、前記横スライド板の凹部内壁が前記縦スライド板の下端斜面と係合する斜面形状に形成され、前記横スライド板の横移動によるこれらの斜面どおしのスベリ係合によって前記縦スライド板が前記凹部に対して出入する構成としている。
【００１１】
本発明の他の形態によれば、前記縦スライド板の下端が先細わん曲面形状に形成され、前記横スライド板の凹部内壁が前記縦スライド板の下端わん曲面と係合する斜面形状に形成され、前記横スライド板の横移動による前記下端わん曲面と前記横スライド板の凹部内壁の斜面とのスベリ係合によって前記縦スライド板が前記凹部に対して出入する構成としている。
【００１２】
本発明のさらに他の形態によれば、前記テープ受け部材は前記クランクプレートの上縁に形成されている。
【発明の効果】
【００１３】
本発明によれば、非使用時あるいはホルダー本体部から粘着テープを引き出す前の状態では、ホルダー端部の切断刃の先端が上下動可能なガード部材から下方へ隠れた形態となっているので、切断刃の先端で手を傷付ける心配がなく、テープ貼着作業の安全化、迅速化が図られる。
【図面の簡単な説明】
【００１４】
【図１】本発明の実施例１に係るカッターガード板付き粘着テープホルダーの切断刃ガード機構部の側面図である。
【図２】図１の矢視Ｆからみた側面図である。
【図３】図１に示す切断刃ガード機構部のテープ切断時の切断刃が露出した状態を示す側面図である。
【図４】本発明の実施例２に係る縦スライド板と横スライド板の係合例を示す側面図である。
【発明を実施するための形態】
【００１５】
次に、本発明を各種の実施例について図面を参照しつつ具体的に説明する。なお、これらの実施例はいずれも巾広の包装用粘着テープに対する切断刃付きテープホルダーについてのものであるが、本発明は必ずしもこのような包装用の粘着テープに限るものではなく、紙面に貼り付ける一般の細巾の粘着テープの切断刃付きホルダーにも同様に適用されることは勿論である。
【実施例１】
【００１６】
図１〜図３を参照すれば、この粘着テープホルダーは机や作業台などの置台上に載置して使用される形式のものであり、底板２、側板３および前部端板（図示省略）によってホルダー本体部が構成されている。前記前部端板に近接して切断刃７が固定され、この切断刃７に接して該切断刃の外側に上下動可能な縦スライド板８が設けられている。非使用時あるいは粘着テープの引き出し前の状態では、縦スライド板８は切断刃７の刃先を若干超える高さ位置に上昇しており、したがって縦スライド板８は切断刃７のガード板としての機能を果たすものである。前記前部端板と反対側の本体部後端は開放されており、一対の側板３の後縁には溝孔が形成され、この溝孔に粘着テープの円筒部内径と嵌合する軸付き芯環（リール）の軸部が挿入され、これによってテープ円筒部がホルダー本体部に装着される（いずれも図示省略）。
【００１７】
前記ホルダー本体部に装填された前記テープ円筒部と切断刃７との間の位置で、かつ前記テープ円筒部にやや近い位置に、旋回可能なガイド棒１１が配置されている。また、ガイド棒１１と切断刃７との間の位置で、かつ切断刃７にやや近い位置に主軸１６が側板３に軸支されている。ガイド棒１１は、後述するクランクプレートを介してこの主軸１６を中心にして旋回可能である。前記テープ円筒部から引き出された粘着テープ６はその非粘着面６ａがガイド棒１１に接して、かつガイド棒１１の下側をくぐるようにして切断刃７へ向けて引き出される。この場合に、ガイド棒１１は前記テープ円筒部の円周頂部よりも低い位置に配置され、したがって、引き出された粘着テープ６はガイド棒１１の位置で谷形に屈曲して切断刃７側へ伸長する（図１，図３）。
【００１８】
図１，図３を参照して上下動する縦スライド板８の動作機構を説明する。縦スライド板８は鋸歯状の切断刃７の少なくとも巾長さにわたる横巾を有し、かつその下端は、この実施例１では、くさび状の斜面８ａが形成されている。縦スライド板８の下側には、縦スライド板８の板面に対して垂直な方向の水平方向に往復動する横スライド板９が本体部に保持されている。図１，図３に明示されるように、横スライド板９の上面９ｂには縦スライド板８の下端が落ち込む凹部２０が形成されている。この凹部２０は、片側の内壁が前記縦スライド板８の下端斜面８ａに対応して傾斜面９ａとなっており、凹部２０に縦スライド板８の下端が入り込んだ状態で横スライド板９が水平方向に移動することにより、この傾斜面９ａで縦スライド板８を上方へ押し上げるとともに、縦スライド板８を横スライド板９の平坦な上面９ｂに載せるようになっている。
【００１９】
縦スライド板８が横スライド板９の上面９ｂに載った状態では、縦スライド板８の上端は切断刃７の先端から若干上方へ突出し、縦スライド板８が横スライド板９の凹部２０に落ち込んだ状態では、縦スライド板８の上端が切断刃７の先端よりも低い位置になるように設定されている。つまり、縦スライド板８が自重で横スライド板９の凹部２０に落ち込むと、切断刃７の先端が縦スライド板８から上方へ露出する。横スライド板９は圧縮ばね手段２１によって一方向に、具体的には縦スライド板８が横スライド板９の凹部２０から押し上げられて横スライド板９の上面９ｂに載るように、後述するクランクプレート２２に向って一方向に付勢されている。このような縦スライド板８の上下動および横スライド板９の水平動を円滑かつ確実に行わせるようにホルダー本体部の側板３あるいは底板２その他適切な箇所にそれぞれガイド溝（図示省略）が設けられている。
【００２０】
クランクプレート２２は側板３に軸支された主軸１６のまわりに所定角度範囲で回転するが、このクランクプレート２２は全体としては横長の大略長方形の形態を成し、かつ主軸１６よりも上方に張り出した肩部２２ａを有し、この肩部２２ａが横スライド板９に接当してクランクプレート２２の回転で横スライド板９を前述のばね手段２１に抗して押動させるようになっている。クランクプレート２２の肩部２２ａに続く上面２２ｂには上方へ延びるテープ受け部材２３が固着されている。クランクプレート２２の主軸１６と反対側の端部の上方に前述したガイド棒１１が配置されている。このガイド棒１１は後述するガイド棒支持部材２５および連結板２６によってクランクプレート２２に連結されている。
【００２１】
図２を参照して、ガイド棒１１は丸棒状の形状を有し、このガイド棒１１の片端にガイド棒支持部材２５が連結されている。また、ガイド棒支持部材２５には略矩形状の連結板２６の側部２６ｂが固着されている。連結板２６の上縁とガイド棒１１との間には或る程度の隙間を有し、後述するようにこの間隙２７にガイド棒１１と接触する形態で前記テープ円筒部から引き出された粘着テープ６が通されるようになっている。連結板２６の下端には凹溝２６ａが形成され、この凹溝２６ａにクランクプレート２２の端部が挿入され、かつ適当な止めビス、止めネジ等でクランクプレート２２と連結板２６が一体に固着される。なお、この実施例ではクランクプレート２２はホルダー本体部のできるだけ略巾方向中央位置に配置されるように連結板２６の凹溝２６ａの位置が決められる。
【００２２】
このような構成で、粘着テープホルダーの非使用時、あるいは粘着テープ６をその円筒部から引き出す前の状態では、圧縮ばね手段２１によって横スライド板９がクランクプレート２２側へ移動した状態（図１）にあり、これによってガイド棒１１はクランクプレート２２を介して下方へ下がった状態となっている。この状態で縦スライド板８は横スライド板９の上面９ｂに載置されており（図１の状態）、したがって切断刃７の外面に接した縦スライド板８の上端は切断刃７より若干高い位置を占め、切断刃７に手が触れて傷付けるといった事態は生じない。ここで前記テープ円筒部から引き出した粘着テープ６をガイド棒１１の下をくぐらせて切断刃７側へ伸長させると、このテープ６の強制伸長力でガイド棒１１が上方へ持ち上げられ、ガイド棒支持部材２５および連結板２６を介してクランクプレート２２が主軸１６のまわりに回転し、その肩部２２ａで横スライド板９をばね手段２１に抗してホルダー前部側へ押動させる。この横スライド板９の強制移動により、横スライド板９の上面９ｂに接当していた縦スライド板８が自重で横スライド板９の凹部２０に落ち込み、縦スライド板８が降下して切断刃７が上方へ露出し、粘着テープ６の切断がなされる。図３はこのときの状態を示している。
【００２３】
粘着テープ６の切断時には、粘着テープ６に近接してその下側にテープ受け部材２３が位置しており、切断後のテープ円筒部につながる粘着テープ６は切断刃７から離れてテープ受け部材２３に軽く支持、付着される。同時にテープ切断によって粘着テープ６の伸長力が消失するため、粘着テープ６によるガイド棒１１の持ち上げ力が失われ、ばね手段２１により横スライド板９がクランクプレート２２側へ移動して該クランクプレート２２を戻り回転させるとともに、縦スライド板８の下端斜面と横スライド板８の凹部２０内壁の傾斜面とのスベリ係合によって縦スライド板８が上昇して横スライド板９の平坦な上面９ｂに載り、縦スライド板８の上端が切断刃７の先端より上方へ突出し、切断刃７が下方へ隠れる形態となる（図１）。
【００２４】
切断後の粘着テープ６はテープ受け部材２３のためにホルダー本体部の底側へ大きく垂れ下がってしまうことはなく、次回使用時にはテープ受け部材２３に仮保持された粘着テープ６の端部をつまんで切断刃側へ引き出し、そのときのテープ伸長力で再びガイド棒１１を上昇させてクランクプレート２２の肩部２２ａで横スライド板８を押動し、横スライド板８の凹部２０に落ち込んだ縦スライド板８が降下し、切断刃７を露出させる。
【実施例２】
【００２５】
上記の実施例１では、縦スライド板８の下端の斜面８ａおよび横スライド板９の凹部２０の傾斜面９ａを図示のように互いに傾斜角度の異なるテーパ形状としたが、本発明は必ずしもこのような形状に限定されるものではなく、例えば図４に示すように、縦スライド板８の下端をわん曲面に形成し、この凸わん曲面と横スライド板９の凹部２０内壁がスベリ係合して横スライド板９の凹部２０から縦スライド板８が出入するようにしてもよい。
【実施例３】
【００２６】
また、テープ切断後のテープ端部がホルダー本体部の底部に向けて垂れ下がってしまうのを防止するためのテープ受け部材２３を実施例１，２ではクランクプレート２２の上縁に設け、クランクプレート２２の回動に伴なって、テープ切断時にテープ受け部材２３が前記テープの切断端部近くへ回動する形態としたが、本発明ではテープ受け部材２３は必ずしもクランクプレート２２に設けた形態に限定されるものではなく、本体部側板３の適切な位置に設けて切断後のテープ端部を受け止めるようにしてもよい。このような形態も本発明の範囲に含まれることは明らかである。
【００２７】
このように本発明によれば、ガイド棒１１はホルダー本体部の側板３には全く係合しておらず、該側板３に対してフリーの状態で主軸１６を中心に上昇旋回、下降旋回し、かつ縦スライド板８、横スライド板９ともに直線動作するだけであるため、全体の動作がきわめてスムーズであり、故障等の心配のない簡素な構造で切断刃に対する使用者の安全性が確保されるとともに、切断刃自体の保護も確保される。
【符号の説明】
【００２８】
２    底板
３    側板
６    粘着テープ
７    切断刃
８    縦スライド板
９    横スライド板
１１    ガイド棒
１６    主軸
２０    凹部
２１    ばね手段
２２    クランクプレート
２３    テープ受け部材
２５    ガイド棒支持部材
２６    連結板
【図１】
0005571136.tif 000002
【図２】
0005571136.tif 000003
【図３】
0005571136.tif 000004
【図４】
0005571136.tif 000005